(57)【要約】  ハウジング開口部を有するハウジングと、該ハウジング内に配置されたばね付勢格納リールと、該ばね付勢格納リールに取り付けられた第１の端を有し、かつハウジングの外側に第２の遠位端を有する細長い部材と、を含む装置。この細長い部材は、ハウジング開口部を通って平行移動する間に前記ばね付勢格納リール上に巻き取ることができ、この細長い部材は、第１の弓形の細長い部材と第２の弓形の細長い部材との間の非連結領域によって画定される内部チャンバと、該内部チャンバに流出入する空気を調節することができる通気機構と、を更に含む。前記第１及び第２の弓形の細長い部材のそれぞれは、少なくとも第１の繊維材料層及び第２の繊維材料層を更に含み、第１の繊維材料層中の繊維の大部分は、第２の繊維材料層中の繊維の大部分に対して実質的に垂直に配向される。
2017513029.tif 000002
【特許請求の範囲】
【請求項１】
第１の端及び第２の遠位端を有する細長い部材を備える装置であって、前記細長い部材が、
第１の部材長手方向縁部を有する第１の弓形の細長い部材と、
前記第１の部材長手方向縁部に接合された第２の部材長手方向縁部を有する第２の弓形の細長い部材であって、前記第１の弓形の細長い部材と前記第２の弓形の細長い部材との間の非連結領域によって画定される内部チャンバを画定する、第２の弓形の細長い部材と、を更に含み、
前記第１及び第２の弓形の細長い部材のそれぞれが、少なくとも第１の繊維材料層及び第２の繊維材料層を更に備え、前記第１の繊維材料層中の繊維の大部分が前記第２の繊維材料層中の繊維の大部分に対して実質的に垂直に配向されている、装置。
【請求項２】
前記第１の繊維材料層中の繊維の前記大部分が、前記細長い部材の長手方向軸に平行に配向されており、前記第２の繊維材料層の繊維の前記大部分が、前記細長い部材の前記長手方向軸に垂直な方向に配向されている、請求項１に記載の装置。
【請求項３】
前記第１及び第２の弓形の細長い部材が、マトリクス材料と前記繊維材料との複合材料を更に含み、前記繊維材料が、
紡糸液晶ポリマー、
炭素繊維、
アラミド繊維、
ガラス繊維、又は
カーボンナノチューブのうちの１つを含む、請求項２に記載の装置。
【請求項４】
前記マトリクス材料が、エポキシ樹脂、又は
熱可塑性樹脂の一方を含む、請求項３に記載の装置。
【請求項５】
前記内部チャンバに流出入する空気を調節することができる通気機構を更に備える、請求項４に記載の装置。
【請求項６】
前記通気機構は、前記細長い部材が前記内部チャンバ上に折り畳まれると前記内部チャンバから空気を通気させることができる、前記細長い部材の前記第２の遠位端上の少なくとも１つの開口部を更に含む、請求項５に記載の装置。
【請求項７】
前記通気機構は、前記細長い部材が前記内部チャンバ上に折り畳まれると前記内部チャンバから空気を通気させることができる、前記細長い部材の前記第２の遠位端に近接した一連の開口部を更に含む、請求項５に記載の装置。
【請求項８】
前記細長い部材の前記第２の遠位端に近接した前記一連の開口部は、前記細長い部材の前記内部チャンバが折り畳まれることによって前記一連の開口部が閉鎖されると、前記細長い部材の折り畳み抵抗を増大させるのに十分な距離だけ前記第２の遠位端から離れて配置されている、請求項７に記載の装置。
【請求項９】
前記細長い部材並びに前記対応する第１及び第２の弓形の細長い部材の厚さが、前記細長い部材の前記第１の端から前記第２の遠位端へと減少する、請求項１に記載の装置。
【請求項１０】
前記第１及び第２の弓形の細長い部材の半径が、前記細長い部材の前記第１の端と前記第２の遠位端との間で変化する、請求項１に記載の装置。
【請求項１１】
ハウジング開口部を有するハウジングと、
前記ハウジング内に配置されたばね付勢格納リールと、
前記ばね付勢格納リールに取り付けられた第１の端を有し、かつ前記ハウジングの外側に第２の遠位端を有する細長い部材であって、前記ハウジング開口部を通って平行移動する間に前記ばね付勢格納リール上に巻き取ることができる、細長い部材と、
第１の部材長手方向縁部を有する第１の弓形の細長い部材と、前記第１の部材長手方向縁部に接合された第２の部材長手方向縁部を有する第２の弓形の細長い部材であって、前記第１の弓形の細長い部材と前記第２の弓形の細長い部材との間の非連結領域によって画定される内部チャンバを画定する、第２の弓形の細長い部材と、を備える装置であって、前記第１及び第２の弓形の細長い部材のそれぞれが、少なくとも第１の繊維材料層及び第２の繊維材料層を更に備え、前記第１の繊維材料層中の繊維の大部分が前記第２の繊維材料層中の繊維の大部分に対して実質的に垂直に配向されており、
前記細長い部材が、内部チャンバと、前記内部チャンバに流出入する空気を調節することができる通気機構と、を更に有する、装置。
【請求項１２】
前記細長い部材が前記ばね付勢格納リール上に巻き取られると前記内部チャンバから空気を通気させることができる、前記細長い部材の前記第２の遠位端上の少なくとも１つの開口部を更に備える、請求項１１に記載の装置。
【請求項１３】
前記細長い部材が前記ばね付勢格納リール上に巻き取られると前記内部チャンバから空気を通気させることができる、前記細長い部材の前記第２の遠位端に近接した一連の開口部を更に備える、請求項１１に記載の装置。
【請求項１４】
前記細長い部材の前記第２の遠位端に近接した前記一連の開口部は、前記ハウジング内に前記一連の開口部が格納されて前記ばね付勢格納リール上に巻き取られると、前記ばね付勢格納リールがその上に前記細長い部材を巻き取る間に速度を低下させるのに十分な距離だけ前記第２の遠位端から離れて配置されている、請求項１３に記載の装置。
【請求項１５】
細長い部材を格納する方法であって、第１の端で格納リールに取り付けられた細長い部材であって、
第１の部材長手方向縁部を有する第１の弓形の細長い部材と、前記第１の部材長手方向縁部に接合された第２の部材長手方向縁部を有する第２の弓形の細長い部材であって、前記第１の弓形の細長い部材と前記第２の弓形の細長い部材との間の非連結領域によって画定される内部チャンバを画定する、第２の弓形の細長い部材と、を有し、前記第１及び第２の弓形の細長い部材のそれぞれが、少なくとも第１の繊維材料層及び第２の繊維材料層を更に有し、前記第１の繊維材料層中の繊維の大部分が前記第２の繊維材料層中の繊維の大部分に対して実質的に垂直に配向されており、かつ密封された内部チャンバと、前記内部チャンバに流出入する空気を調節する通気機構と、を有する、細長い部材を提供することと、
前記格納リールを、前記細長い部材を前記格納リール上に巻き取らせる方向に回転させることと、
前記細長い部材が前記格納リール上に巻き取られると、前記細長い部材の前記内部チャンバを折り畳むことと、
前記細長い部材の前記通気機構を通じて前記細長い部材の前記内部チャンバから空気を排出することと、
前記細長い部材の前記通気機構に基づいて、前記細長い部材を前記格納リール上に巻き取るときの前記格納リールの格納速度を調節することと、を含む、方法。
【請求項１６】
前記細長い部材の前記通気機構に基づいて、前記細長い部材を前記格納リール上に巻き取るときの前記格納リールの格納速度を調節することは、前記細長い部材が前記格納リール上に巻き取られると前記内部チャンバから空気を通気させることができる、前記細長い部材の第２の遠位端上の少なくとも１つの開口部を含むように前記通気機構を提供することを更に含む、請求項１５に記載の前記細長い部材を格納する方法。
【請求項１７】
前記細長い部材の前記通気機構に基づいて、前記細長い部材を前記格納リール上に巻き取るときの前記格納リールの格納速度を調節することは、前記細長い部材が前記格納リール上に巻き取られると前記内部チャンバから空気を通気させることができる、前記細長い部材の第２の遠位端に近接した一連の開口部を提供することを更に含む、請求項１５に記載の前記細長い部材を格納する方法。
【請求項１８】
前記格納リール上に巻き取られる前記一連の開口部に基づいて、前記格納リールがその上に前記細長い部材を巻き取る間に前記回転する格納リールの格納速度を低下させることを更に含む、請求項１７に記載の前記細長い部材を格納する方法。
【発明の詳細な説明】
【技術分野】
【０００１】
本明細書に開示される技術は、概して、自己支持型細長い部材に関し、より具体的には、細長い部材が巻き取られた構成又は螺旋状に巻回された構成にあるときに折り畳まれる自己支持型の細長い部材に関する。
【背景技術】
【０００２】
自己支持型の折り畳み可能な細長い部材は、様々な技術分野で一般に使用することができ、例えば、巻き尺のようなデバイスに使用することができる。細長い部材が引き延ばされると、一端から水平方向に特定の最大の突き出し長さまでは概ね自己支持することができるが、その時点で細長い部材は通常はへたってしまう。細長い部材が平らに潰されると、保管のために折り畳まれるか、又は巻き取られ得る。かかる折り畳み可能な細長い部材にともなう技術的制約は、細長い部材の突き出し長さ、細長い部材の重量、折り畳まれた細長い部材のサイズ、細長い部材の最小の曲げ半径、及びその折り畳み動作及び引き延ばし動作の寿命にわたった細長い部材の耐久性と一般的に関係している。
【０００３】
自己支持型の細長い部材の一部の公知のタイプのものは、長手方向の縁部において接合されることでそれらの間に包囲された管状構造領域を有するフランジを形成する２本の材料の比較的薄い細長いストリップで構成されている。一般的に、細長いストリップのそれぞれは金属材料で形成することができ、細長いストリップ同士は溶接で接合される。一般的に、細長いストリップは、細長い部材の突き出し長さを大きくするための相補的な湾曲した断面形状を有している。これらのタイプの細長い部材は折り畳まれる際、通常は平らに潰されてスプール上に巻き取られる。細長いストリップ間の接合部にかかる力は、特に細長い部材の縁部の溶接が細長い部材同士の接合部を比較的脆弱にしうる場合に細長い部材を破損する可能性がある。細長い部材の巻き取りは細長い部材の少なくとも一方の座屈を生じる場合があり、これにより折り畳まれた細長い部材のコンパクト度が低下しうる。更に、細長い部材の巻き取りによって細長い部材にかかる応力が、細長い部材の平坦化によって細長い部材にかかる応力と合成されることで、細長い部材の劣化に寄与しうる。
【０００４】
本明細書の開示は、これらの課題及び他の課題に関して与えられるものである。
【発明の概要】
【課題を解決するための手段】
【０００５】
この「発明の概要」は、「発明を実施するための形態」において更に後述する幅広い概念を単純な形で導入するために示すものである。この「発明の概要」は、特許請求される主題の範囲を限定するために用いられることを意図したものではない。
【０００６】
本明細書に開示される一実施形態では、第１の部材長手方向縁部を有する第１の弓形の細長い部材と、前記第１の部材長手方向縁部に接合された第２の部材長手方向縁部を有する第２の弓形の細長い部材であって、前記第１の弓形の細長い部材と前記第２の弓形の細長い部材との間の非連結領域によって画定される内部チャンバを画定する、第２の弓形の細長い部材とを有する細長い部材を有する装置が提供される。前記第１及び第２の弓形の細長い部材のそれぞれは、少なくとも第１の繊維材料層及び第２の繊維材料層を更に有し、前記第１の繊維材料層中の繊維の大部分は前記第２の繊維材料層中の繊維の大部分に対して実質的に垂直に配向される。
【０００７】
本明細書に開示される別の実施形態では、ハウジング開口部を有するハウジングと、前記ハウジング内に配置されたばね付勢格納リールと、前記ばね付勢格納リールに取り付けられた第１の端を有し、更に前記ハウジングの外側に第２の遠位端を有する細長い部材とを含む装置が提供される。前記細長い部材は、前記ハウジング開口部を通って平行移動する間に前記ばね付勢格納リール上に巻き取ることが更に可能であり、細長い部材は、内部チャンバと、該内部チャンバに流出入する空気を調節することができる通気機構とを更に有する。
【０００８】
本明細書に開示される別の実施形態では、第１の端で格納リールに取り付けられた細長い部材を提供する、細長い部材を格納する方法が提供される。前記細長い部材は、密封された内部チャンバと、該内部チャンバに流出入する空気を調節する通気機構とを含む。前記格納リールは、前記細長い部材を前記格納リール上に巻き取らせる方向に回転させることができる。前記細長い部材の前記内部チャンバは、細長い部材が格納リール上に巻き取られるときに折り畳まれうる。前記細長い部材の内部チャンバは、細長い部材の通気機構を通じて空気を排出し、これにより、細長い部材の前記通気機構に基づいて格納リール上に細長い部材が巻き取られるときの格納リールの格納速度が調節される。
【０００９】
上記で検討した特徴、機能、及び効果は、本開示の異なる実施形態において独立して実現することができるか、又は更なる他の実施形態において組み合わせることが可能であり、それらの更なる詳細は、以下の説明文及び図面を参照することで理解することができる。
【図面の簡単な説明】
【００１０】
本明細書に示される実施形態は、「発明を実施するための形態」及び添付の図面より、より深い理解が得られるであろう。
【図１】細長い部材の一構成の一部分の斜視図である。
【図２】図１の構成の細長い部材の一要素の代表的な部分の斜視図である。
【図３】図２の構成の細長い部材の一要素の代表的な部分の斜視図である。
【図４】図２の構成の細長い部材の一要素の代表的な部分の斜視図である。
【図５】図１の構成の細長い部材の代表的な部分の斜視図である。
【図６】図１と同様の細長い部材の別の構成の代表的な部分の斜視図である。
【図７】図６の細長い部材の構成の代表的な部分の斜視図である。
【図８】図７の細長い部材の構成の代表的な部分の斜視図である。
【図９】図８の細長い部材の２つの代表的な断面Ａ−Ａ及びＢ−Ｂの構成の斜視図である。
【図１０】図８の細長い部材の３つの代表的な断面Ａ−Ａ及びＢ−Ｂの構成の斜視図である。
【図１１Ａ】ハウジングリール内部の細長い部材の代表的な構成の側面概略図である。
【図１１Ｂ】図１１Ａのハウジングリール内部の細長い部材の代表的な構成の斜視図である。
【図１２Ａ】平らに潰された際の図１に示される構成の横断面図である。
【図１２Ｂ】細長いストリップを平らに潰すことによって生じる力を示す、図１２Ａの第１の細長いストリップの横断面図である。
【図１３Ａ】図１に示される構成と一致する、巻き取られた細長い部材の一部分の長手方向断面図である。
【図１３Ｂ】図１に示される構成と一致する、巻き取られた細長い部材の一部分の斜視図である。
【図１４】図１３Ａ及び１３Ｂと一致する細長い部材を格納する方法を示す論理フロー図である。
【００１１】
本明細書に示される各構成は、以下の「発明を実施するための形態」を添付の図面と併せて考慮することでより完全な理解及び認識を得ることができる。
【発明を実施するための形態】
【００１２】
図１は、細長い部材１００の第１の細長い部材縁部１３０、第２の細長い部材縁部１４０、及び細長い部材の非連結領域１５０を共に画定する第１の細長いストリップ１１０と第２の細長いストリップ１２０とを概ね有する細長い部材１００の一構成の一部の斜視図を示している。細長い部材１００は、長手方向Ｄ１に一定の距離だけ概ね延びることで幅よりも長さが大幅に大きくなっているが、図１では、図を簡潔にするために短い部分として示されている。本開示では、図１に示されるように長手方向Ｄ１は、０°の軸と概ね平行であってよく、横手方向は９０°の軸と概ね平行であってよく、Ｚ軸は０°−９０°平面に対して垂直であってよい。
【００１３】
第１の細長いストリップ１１０は、第１の細長いストリップの内側表面１１１、第１の細長いストリップの内側表面１１１の反対側にありうる第１の細長いストリップの外側表面１１２、第１の細長いストリップの第１の縁部領域１１３、及び第１の細長いストリップの第２の縁部領域１１４を概ね有している。第２の細長いストリップ１２０は、第２の細長いストリップの内側表面１２１、第２の細長いストリップの内側表面１２１の反対側の第２の細長いストリップの外側表面１２２、第２の細長いストリップの第１の縁部領域１２３、及び第２の細長いストリップの第２の縁部領域１２４を概ね有している。
【００１４】
第１の細長いストリップの第１の縁部領域１１３は、第２の細長いストリップの第１の縁部領域１２３に堅く連結されることで細長い部材１００の第１の細長い部材縁部１３０を形成することができる。第１の細長いストリップの第２の縁部領域１１４は、第２の細長いストリップの第２の縁部領域１２４に堅く連結されることで細長い部材１００の第２の細長い部材縁部１４０を形成することができる。
【００１５】
第１の細長いストリップ１１０の第１の細長いストリップの内側表面１１１は、第２の細長いストリップ１２０の第２の細長いストリップの内側表面１２１と隣接することができる。細長い部材の非連結領域１５０は、第１の細長いストリップの内側表面１１１、第２の内側表面１２１、第１の細長い部材縁部１３０、及び第２の細長い縁部１４０の間に画定することができる。
【００１６】
細長い部材１００の第１の細長い縁部１３０と第２の細長い縁部１４０は、概ね平行であり、かつ同一平面上にある。第１の細長いストリップ１１０及び第２の細長いストリップ１２０の対応した細長い縁部領域１１３、１１４、１２３及び１２４は、第１及び第２の細長い縁部１３０、１４０と概ね平行である。図に示されるものを含む様々な構成において、第１の細長いストリップ１１０は、第２の細長いストリップ１２０の断面形状と実質的に同様であってよい断面形状を有する。かかる構成では、細長い部材１００の第１の細長い部材縁部１３０及び第２の細長い部材縁部１４０は、第１の細長いストリップ１１０と第２の細長いストリップ１２０との間に対称面を画定する。
【００１７】
第１の細長いストリップ１１０は、第１の細長い部材縁部１３０と第２の細長い縁部１４０との間に第１の細長いストリップピーク１１５を概ね画定している。第１の細長いストリップ１１０はまた、第１の細長い部材縁部１３０と第１のピーク１１５との間に第１の細長いストリップの第１の移行領域１１６を、第１の細長いストリップピーク１１５と第２の細長い縁部１４０との間に第１の細長いストリップの第２の移行領域１１７を画定している。
【００１８】
同様に、第２の細長いストリップ１２０は、第１の細長い部材縁部１３０と第２の細長い縁部１４０との間に第２の細長いストリップピーク１２５を概ね画定している。第２の細長いストリップ１２０はまた、第１の細長い部材縁部１３０と第２の細長いストリップピーク１２５との間に第２の細長いストリップの第１の移行領域１１６を、第２の細長いストリップピーク１２５と第２の細長い縁部１４０との間に第２の細長いストリップの第２の移行領域１２７を画定している。
【００１９】
様々な形態において、第１のピーク１１５、第１の細長いストリップの第１の移行領域１１６、及び第１の細長いストリップの第２の移行領域１１７の半径Ｒ１は、実質的に等しい。様々な形態において、第２のピーク１２５、第２の細長いストリップの第１の移行領域１２６、及び第２の細長いストリップの第２の移行領域１２７の半径Ｒ２は、実質的に等しい。少なくとも１つの構成では、第１の細長いストリップピーク１１５の半径Ｒ１と第２の細長いストリップピーク１２５のＲ２は、実質的に等しい。
【００２０】
細長い部材１００は、本明細書に述べられるような様々な材料で形成することができる。一般的に、第１の細長いストリップ１１０及び第２の細長いストリップ１２０は、細長い部材１００が０°軸の方向に突き出し距離にわたって自己支持することができ、かつ、第１のピーク１１５、第２のピーク１２５、並びに対応する移行領域１１６、１１７、１２６、及び１２７が図１２Ａに関して下記で説明するような十分な外力に応じて平らに潰れることができるように構成されている。
【００２１】
第１の細長いストリップ１１０の第１の細長いストリップの第１の縁部領域１１３及び第１の細長いストリップの第２の縁部領域１１４は、様々な手段によって第２の細長いストリップ１２０の第２の細長いストリップの第１の縁部領域１２３及び第２の細長いストリップの第２の縁部領域１２４に対応して堅く連結させることができる。少なくとも１つの構成では、細長い縁部領域１１３、１１４、１２３、及び１２４は、マトリクス材料のような接着性物質の使用によって連結することができる。マトリクス材料は、例えばエポキシ樹脂又は熱可塑性樹脂などの樹脂でよい。当該技術分野では周知の他の接着剤を使用することもできる。様々な構成において、第１及び第２の細長い部材縁部１３０及び１４０は、カーボンファイバーテープ及び／又はカーボンファイバーナノチューブの使用によって強化することができる。
【００２２】
様々な他の構成において、第１の細長いストリップ１１０及び第２の細長いストリップ１２０は、それぞれ布地材料で構成することができる。多くの種類の布地が考えられるが、一部の構成では、布地は織繊維材料とすることができる。かかる構成では、布地は、長手方向及び横手方向のような２つの糸方向を有する二軸織物とすることができる。他の種類の織物を使用することもできる。様々な構成において、織繊維は、繊維とマトリクス材料の複合材料とすることができる。様々な他の構成において、図２〜５に関して下記により詳細に述べるように、繊維は、マトリクス材料中の実質的に一方向の繊維の層で構成することができる複合材料とすることもできる。他の構成では、布地は、織布と、実質的に一方向の繊維層との組み合わせとすることができる。
【００２３】
図２は、図１の構成の細長い部材１００の第１の細長いストリップ１１０の各部分の斜視図を示す。細長い部材１００の縁部の拡大図２００に、第１の繊維材料層２１０及び第２の繊維材料の第２の層２２０の２つの挟み込まれた層を有する第１及び第２の細長いストリップ１１０、１２０の構造の一構成が示されている。第１の繊維材料層２１０は、９０°軸に対して概ね平行な方向、すなわち細長い部材１００の第１の細長いストリップ１１０の主長手方向軸に対して横断方向に配向される。第１の繊維材料層２１０は、図２に示されるように隣接した複数の層として、又は各繊維が個別の層構成を欠いた実質的に明確な形状を有さない形態として配列された複数の繊維層を有することができる。しかしながら、いずれの形態においても繊維の方向は互いに実質的に一様であり、この例では、細長い部材１００の第１の細長いストリップ１１０の９０°軸に対して概ね平行である。
【００２４】
第２の繊維材料層２２０は、０°軸に対して概ね平行な方向、すなわち細長い部材１００の第１の細長いストリップ１１０の主長手方向軸と一致した方向に配向される。第２の繊維材料層２２０は、図２に示されるように隣接した複数の層として、又は各繊維が個別の層構成を欠いた実質的に明確な形状を有さない形態として配列された複数の繊維層を有することができる。しかしながら、いずれの形態においても繊維の方向は互いに実質的に一様であり、この例では、細長い部材１００の第１の細長いストリップ１１０の０°軸に対して概ね平行である。
【００２５】
図２に示されるような第１の細長いストリップ１１０の１つの特徴であり、図１の第２の細長いストリップ１２０も表す特徴として、第１の細長いストリップ１１０は、互いに実質的に垂直に配向される繊維材料の少なくとも２つの層を有している。すなわち、一方の層が細長い部材１００の主長手方向軸に実質的に平行である場合、他方の対応する層は細長い部材１００の主長手方向軸に実質的に垂直である。２層よりも多い繊維層を細長いストリップ１１０及び１２０のそれぞれに使用することができ、他の層は細長い部材１００の主長手方向軸に対して実質的に垂直及び平行な方向以外の方向に配向されてもよい。
【００２６】
図３は、図２の第２の繊維材料層２２０に対応した例示的な長手方向繊維層３００を示したものであり、０°軸に概ね平行な方向、すなわち細長い部材１００の第１の細長いストリップ１１０の主長手方向軸と一致した方向に延びる繊維材料の１つの層のみを単純化した形で示している。
【００２７】
図４は、図２の第１の繊維材料層２１０に対応した例示的な横断方向繊維層４００を、図３の長手方向繊維層３００とともに有する代表的な第１の細長いストリップ１１０を示している。横断方向繊維層４００は、９０°軸に概ね平行な方向、すなわち細長い部材１００の第１の細長いストリップ１１０の主長手方向軸に垂直な方向に延びる繊維材料の１つの層のみを示す単純化した形で示されている。
【００２８】
図５は、図３の長手方向繊維層３００及び図４の横断方向繊維層４００を含む第１の細長いストリップ５１０と、図３の長手方向繊維層３００と同様の第２の長手方向繊維層３１０及び図４の横断方向繊維層４００と同様の第２の横断方向繊維層４１０を含む第２の細長いストリップ５２０との組み合わせである、図１に示される細長い部材１００と同様の細長い部材５００を示している。第１の細長いストリップ５１０は図１の第１の細長いストリップ１１０を表し、第２の細長いストリップ５２０は図１の第２の細長いストリップ１２０を表しうる。第１の細長いストリップ５１０は、実質的に一方向の繊維の２つの層で構成することができる。実質的に一方向の繊維の内側層とすることができる長手方向繊維層３００は、長手方向に延びるように配向された複数の繊維を有している。実質的に一方向の繊維の外側層とすることができる横断方向繊維層４００は、横手方向に延びるように配向された複数の繊維を有している。同様に、第２の細長いストリップ５２０は、第２の長手方向繊維層３１０が長手方向に配向されており、第２の横断方向繊維層４１０が横手方向に配向されている、実質的に一方向の繊維の２つの層で構成することができる。様々な構成において、繊維は炭素繊維であってよく、少なくとも１つの構成において、繊維はカーボンナノチューブが補充された炭素繊維であってよい。特定の構成において、各層は、エポキシ樹脂などの樹脂中、又はナイロン６形態などの熱可塑性ポリマー樹脂中に含まれる繊維の複合材料であってよい。
【００２９】
細長いストリップの布地が織り繊維構造を有する場合であっても、又は実質的に一方向の繊維の層で構成される場合であっても、又はその両方であっても、繊維は様々な材料とすることができる。様々な構成において、繊維は、炭素繊維又はアラミド繊維とすることができる。特定の構成において、繊維材料は、紡糸液晶ポリマーとすることができる。特定の構成において、繊維材料は、ガラス繊維又は天然繊維とすることができる。他の種類の繊維及び繊維の組み合わせを第１の細長いストリップ及び第２の細長いストリップの構造中に使用することができる。
【００３０】
第１の細長いストリップ及び第２の細長いストリップの布地は、不織布又は実質的に一方向の繊維とマトリクス材料との複合材料であってよく、マトリクスは様々な材料であってよい。様々な構成において、マトリクス材料は金属又は樹脂材料であってよい。マトリクスが樹脂でありうる構成では、樹脂はエポキシ樹脂又は熱可塑性樹脂であってよい。当業者には認識されるであろう他の種類のマトリクス材料も考えられる。
【００３１】
図６は、図１に示される細長い部材１００に似た細長い部材６００の別の構成の代表的部分の斜視図を示す。細長い部材６００は、図１の第１の細長いストリップ１１０と同様の第１の細長いストリップ６１０、及び図１の第２の細長いストリップ１２０と同様の第２の細長いストリップ６２０を有している。細長い部材６００の細長い部材遠位端６６０に向かって（図１の細長い部材の非連結領域１５０と同様の）非連結領域６５０に近接して第１の細長いストリップ６１０と第２の細長いストリップ６２０との間に細長い部材端部材６８０を配設することができる。細長い部材６００の細長い部材遠位端６６０の細長い部材端部材６８０内に端部材の開口部６８５を配設することができ、細長い部材６００が折り畳まれるときに、第１の細長いストリップ６１０と第２の細長いストリップ６２０との間の非連結領域からの空気の排出速度を制限するように構成することができる。したがって、例えば下記で図１１Ａに示されるようにそれ自体の上に巻き取ることによって細長い部材６００を折り畳みうる最大速度は、かかる端部材の開口部６８５によって制限することができる。
【００３２】
図７は、図６の細長い部材に似た細長い部材７００の構成の代表的部分の斜視図を示す。細長い部材７００は、図１の第１の細長いストリップ１１０と同様の第１の細長いストリップ７１０、及び図１の第２の細長いストリップ１２０と同様の第２の細長いストリップ７２０を有している。細長い部材７００の細長い部材遠位端７６０に向かって（図１の細長い部材の非連結領域１５０と同様の）非連結領域７５０に近接して第１の細長いストリップ７１０と第２の細長いストリップ７２０との間に細長い部材端部材７８０を配設することができる。図６と同様に、細長い部材７００の細長い部材遠位端７６０の細長い部材端部材７８０内に端部材の開口部７８５を配設することができ、細長い部材７００が折り畳まれるときに、第１の細長いストリップ７１０と第２の細長いストリップ７２０との間の非連結領域７５０からの空気の排出速度を制限するように構成することができる。細長い部材７００の非連結領域７５０からの空気の排出速度を制限するために用いられる端部材の開口部７８５以外に、細長い部材の一連の開口部７９０を第１の細長いストリップ７１０（図に示される）及び第２の細長いストリップ７２０（図に示されていない）の一方又は両方に組み込むことができ、一列の開口部（図に示されていない）又は複数列の開口部（図に示される）とすることができる。更に、細長い部材の一連の開口部７９０は、第１の細長いストリップ７１０と第２の細長いストリップ７２０との間の（図１の細長い部材の非連結領域１５０と同様の）非連結領域７５０に近接した任意の場所に配置することができる。図７では、例えば、２つの細長い部材の一連の開口部７９０が第１の細長いストリップ７１０の第１の細長いストリップピーク７１５の両側に配置されている。
【００３３】
細長い部材の一連の開口部７９０は、細長い部材遠位端７６０から距離Ｄ２に配置することによって、第１の細長いストリップ７１０と第２の細長いストリップ７２０との間の非連結領域７５０内部の空気を、空気弁７５０を迂回して細長い部材の一連の開口部７９０を通じて非連結領域７５０から排出させることができる。細長い部材の一連の開口部７９０が細長い部材遠位端７６０から距離Ｄ２に配置されている場合、細長い部材の一連の開口部７９０の断面積が増大することで、例えば、細長い部材７００が回転によってそれ自体の上に巻き取られる巻き取りプロセスにおいて第１の細長いストリップと第２の細長いストリップとが互いに折り畳まれるときに、第１及び第２の細長いストリップ７１０及び７２０の非連結領域７５０の間のより多くの空気を細長い部材から排出させることができる。第１及び第２の細長いストリップ７１０及び７２０の折り畳みが細長い部材遠位端７６０に向かう方向に細長い部材の一連の開口部７９０を越えて続けられると、第１の細長いストリップ７１０と第２の細長いストリップ７２０との間の空気は細長い部材の一連の開口部７９０から排出されなくなり、第１の細長いストリップ７１０と第２の細長いストリップ７２０との間のすべての空気はより断面積の小さい端部材の開口部７８５から排出されなければならない。この空気流の減少により、第１の細長いストリップ７１０と第２の細長いストリップ７２０との間の非連結領域７５０からの端部材の開口部７８５を通じた空気流の容量が小さいことに基づいてより大きな折り畳み抵抗が生じる。この抵抗が大きくなる機能のため、折り畳み（すなわち巻き取り）プロセスが細長い部材遠位端７６０の方向に細長い部材の一連の開口部７９０を越えて進むと細長い部材７００の第１の細長いストリップ７１０と第２の細長いストリップ７２０との間の折り畳み抵抗が増大する。このような構成は、細長い部材７００が、細長い部材７００の所定の長さにわたってリールの周囲への細長い部材７００の比較的速い巻き取りを可能とするようにリールハウジングから大きく引き延ばされている（図１１Ａ〜１１Ｂ）場合に、第１及び第２の細長いストリップ７１０及び７２０の折り畳みが細長い部材遠位端７６０に向かう方向に細長い部材７００上の細長い部材の一連の開口部７９０を越えて進む際の巻き取りにおけるブレーキプロセスとともに望ましい場合がある。
【００３４】
様々な構成において、細長い部材の一連の開口部７９０は、細長い部材７００の中心から細長い部材７００の幅にオフセットしていてもよい位置に画定される。特定の構成では、細長い部材の一連の開口部７９０は、細長い部材７００にわたって横手方向及び長手方向に対称的であってよい。
【００３５】
図８は、細長い部材の一連の開口部７９０及び細長い部材遠位端７６０の端部材の開口部７８５を有する図７の細長い部材の構成の代表的な部分の斜視図を示す。図８には、細長い部材遠位端７６０と細長い部材遠位端７７０との間の細長い部材７００の厚さの変化及び幾何形状の変化の異なる構成を示すために、細長い部材の細長い部材遠位端７６０に近接した断面Ａ−Ａ、及び反対側の細長い部材遠位端７７０に近接した断面Ｂ−Ｂが示されている。これらの変化を図９〜１０に示し、下記に述べる。
【００３６】
図９は、細長い部材９００の斜視図の第１の構成、並びに図８の切断線（Ａ−Ａ）における代表的な断面９０１及び図８の切断線（Ｂ−Ｂ）における代表的な断面９０２を示したものであり、切断線（Ｂ−Ｂ）に近接した（図８の）反対側の細長い部材遠位端７７０における第１及び第２の細長い部材９１０及び９２０の材料のより大きな厚さＴ１から、切断線（Ａ−Ａ）における（図８の）細長い部材遠位端７６０に近接した細長い部材９１０及び９２０の材料のより小さい厚さＴ２への変化を示している。この構成によれば、細長い部材９００の重量が（図８の）細長い部材遠位端７６０の方向に徐々に減少することにより、細長い部材９００が完全に引き延ばされて（図８の）反対側の細長い部材遠位端７７０においてのみ支持される場合の突き出し強度が高められる一方で、（図８の）反対側の細長い部材遠位端７７０の方向に材料が厚くなっているために細長い部材９００の曲げ抵抗が高くなっている。
【００３７】
図１０は、細長い部材１０００の別の構成、並びに図８の切断線（Ａ−Ａ）における代表的な断面１００１及び図８の切断線（Ｂ−Ｂ）における代表的な断面１００２の斜視図を示したものであり、切断線（Ｂ−Ｂ）に近接した（図８の）反対側の細長い部材遠位端７７０における第１及び第２の細長い部材１０１０及び１０２０の材料の小さい幾何学的半径Ｒ３から、切断線（Ａ−Ａ）に近接した（図８の）細長い部材遠位端７６０における細長い部材１０１０及び１０２０の材料のより大きな幾何学的半径Ｒ４への変化を示している。小さい幾何学的半径Ｒ３が各細長いストリップ部材の対向したピーク間のより大きな距離を与えるのに対して、より大きな幾何学的半径Ｒ４は、各細長いストリップ部材の対向したピーク間のより小さい距離を与える。この構成は、細長い部材１０００が支持されている反対側の細長い部材遠位端７７０の近くで細長いストリップ１０１０及び細長いストリップ１０２０のそれぞれのピーク半径がより小さく、それぞれのピーク間の距離が大きくなっており、細長い部材１０００の曲げ又は捩れ抵抗が（図８の）反対側の細長い部材遠位端７７０の方向に大きくなることにより、細長い部材１０００が完全に引き延ばされて（図８の）反対側の細長い部材遠位端７７０においてのみ支持されるときに、細長い部材９００が突き出し強度を高めることを可能にする。
【００３８】
図１０は、図９の切断線（Ｂ−Ｂ）における代表的な断面９０２における厚さの増大と、図８の切断線（Ｂ−Ｂ）における断面１００２によって示される幾何学的半径の増大との組み合わせを示す図８の切断線（Ｂ−Ｂ）における更なる代替的かつ代表的な断面１００３の斜視図を示している。したがって、図８の反対側の細長い部材遠位端７７０の第１及び第２の細長い部材１０１３及び１０２３では細長い部材１０００の（図８の）細長い部材遠位端７６０の方向に幾何学的第１の半径Ｒ３は増大し、材料の厚さＴ１は減少しており、すなわち、第１及び第２の細長い部材１０１３及び１０２３の幾何学的半径Ｒ３は、図１０の断面１００１に示される幾何学的半径Ｒ４にまで増大し、第１及び第２の細長い部材１０１３及び１０２３の材料の厚さＴ１は図１０の断面１００１に示される小さい厚さＴ２にまで減少する。第１及び第２の細長いストリップの対向したピーク間の距離の減少と、第１及び第２の細長いストリップの厚さの減少との組み合わせによって、細長い部材１０００がそこから支持される図８の反対側の細長い部材遠位端７７０における曲げ抵抗又は捩れ抵抗がより高くなり、細長い部材１０００の突き出し長さが更に大きくなる。
【００３９】
反対側の細長い部材遠位端７７０に向かって対向した細長いストリップの半径が小さくなり、細長いストリップ間の距離が大きくなると、細長い部材遠位端６６０が更に引き出されるときに細長い部材１０００にかかるモーメントが増大することに応じて更なる強度が与えられることにより、細長い部材１０００の突き出し距離が大きくなりうる。このような半径の減少又は距離の増大は、大きな曲率にともなう低い折り畳み性と合わせて比較的短い突き出し距離では高い強度が必要とされない場合がある細長い部材１０００の細長い部材遠位端６６０に向かう方向には望ましくない場合もある。更に、細長い部材１０００の細長い部材遠位端６６０における対向した細長いストリップ間の大きな半径及び小さい距離によって、必要とされる布地材料が少なくなり、それにより細長い部材遠位端６６０の重量が低減される。このような大きな半径及び小さい距離によって、平らに潰されることによって細長い部材１０００の細長い部材遠位端６６０にかかる応力も低減され、これにより、繰返しの使用にわたる細長いストリップの寿命を向上させることができる。
【００４０】
図１１Ａは、ハウジングリール内部の細長い部材の代表的な構成の側面概略図を示す。例示的な実現形態は、ハウジング１１１０、ハウジング１１１０内部に配設されたリール１１２０を有し、細長い部材７００のテープ経路開口部１１３０を画定する巻き尺アセンブリ１１００と概ね一致している。リール１１２０は、トーションばね又はこれに相当する機構によってハウジング１１１０内部で（図７〜８の）細長い部材７００をそれ自体の上に解放可能に巻き取るように概ね構成することができる。細長い部材７００の細長いストリップ７１０と細長いストリップ７２０は、細長い部材７００の第１の細長い部材縁部７３０及び第２の細長い部材縁部７４０に沿って堅く連結されており、第１の細長いストリップ７１０、第２の細長いストリップ７２０、細長い部材遠位端７６０、第１の細長い部材縁部７３０、及び第２の細長い部材縁部７４０の間に非連結領域７５０を画定することができる。
【００４１】
第１の細長いストリップ７１０及び第２の細長いストリップ７２０のそれぞれは、十分な外力に応じて平らに潰れるように構成された第１の細長いストリップピーク７１５及び第２の細長いストリップピーク７２５を画定している。この構成では、細長い部材７００が巻き尺アセンブリ１１００のリール１１２０の周囲に巻き取られるときにピーク７１５、７２５を平らに潰すのに十分な外力が作用し、かつ／又は細長い部材７００がテープ経路開口部１１３０を通過するときにハウジング１１１０によって与えられる。これにより、細長い部材７００は、ピーク７１５、７２５が平らに潰れない場合に必要とされるであろう体積の大きさのほんの一部でありうる体積に格納することができ、これにより、下記に図１２Ａ〜１２Ｂに関して更に述べるように比較的小さい巻き尺ハウジング１１１０が与えられる。
【００４２】
使用時には、細長い部材遠位端７６０は通常は手で引き延ばされ、このような引き延ばしによって折り畳まれた細長い部材７００の対応する長さがリール１１２０から巻き出される。「遠位端」７６０なる用語は、巻き尺ハウジング１１１０から遠ざかる方向に延びる、リール１１２０に連結することができる細長い部材７００の反対側の細長い部材遠位端７７０（図８に示される）の反対側でありうる細長い部材７００の端を述べるのに用いられる。細長い部材７００の部分が巻き尺ハウジング１１１０から繰り出されて、テープハウジング１１１０に巻き取られる際の圧縮力がかからなくなると、細長い部材７００はこの構成では図１及び６〜８に一致しうるその元の平らに潰れていない形状に拡張する。
【００４３】
図１１Ｂは、図１１Ａのハウジングリール内部の細長い部材の代表的な構成の斜視図を示しており、図８と同様に距離Ｄ２が細長い部材遠位端７６０から距離Ｄ２に配置された細長い部材の一連の開口部７９０を示している。細長い部材の一連の開口部７９０の大きな断面積により、第１の細長いストリップ７１０と第２の細長いストリップ７２０とが互いに折り畳まれる際、例えば細長い部材７００がそれ自体の上に回転によって巻き取られる巻き取りプロセスにおいて、上記に述べたように細長い部材の一連の開口部７９０を有する細長い部材７００の部分がテープハウジング１１１０内に受容されて折り畳まれるまでの間だけ、第１及び第２の細長いストリップ７１０及び７２０の非連結領域７５０の間のより多くの空気が細長い部材７００から排出される。
【００４４】
図１２Ａは、平らに潰された際の図１に示される構成の横断面図を示す。再び図７を参照すると、様々な構成において、第１の細長いストリップ７１０及び第２の細長いストリップ１２０のそれぞれは、各細長いストリップの第１及び第２の中立折り曲げ面７１９及び７２９（図１３Ａ〜１３Ｂを参照）を細長い部材１００の第１及び第２の細長いストリップの内側表面７１１及び７２１の方向にそれぞれ付勢し、また、第１及び第２の細長いストリップの内側表面７１１及び７２１の第１及び第２の中立平坦化面７０７及び７０９を細長い部材７００の第１及び第２の外側表面７１２及び７２２の方向に付勢するように概ね構成されている。
【００４５】
図１２Ａは、図１１Ａにおいてリール１１２０の周囲に配設することができる細長い部材７００の部分に一致する、図１１Ａの細長い部材７００の平らに潰された部分の横断面図を示している。細長い部材７００の平らに潰された部分では細長いストリップの第２の移行領域７１６、７１７、７２６及び７２７、並びに第１及び第２の細長いストリップピーク７１５及び７２５のそれぞれがそれらの元の形状（図７に示される）に対して平らに潰れ、これにより、ピーク領域７１５、７２５に圧縮力を、移行領域７１６、７１７、７２６及び７２７に張力を生じる。ピーク７１５、７２５並びに移行部半径７１６、７１７、７２６及び７２７が実質的に等しい半径を有しうる構成では、平らに潰された際の細長いストリップ７１０、７２０内部の圧縮力及び張力を、ストリップの幅にわたって横方向の９０°軸方向に実質的に等しくすることができる。
【００４６】
図１２Ｂは、細長いストリップを平らに潰すことによって生じる力を示す、図１２Ａの第１の細長いストリップの横断面図を示す。図１２Ｂは、ストリップを平らに潰すことにより細長いストリップのそれぞれの内部に作用する力を示す、図１２Ａの第１の細長いストリップ７１０を示している。圧縮力ｃ及び張力ｔのそれぞれは細長い部材７００の厚さ内に位置し、横方向の９０°軸方向となっている。第１の細長いストリップピーク７１５が平らに潰されると、第１の細長いストリップ７１０の第１の細長いストリップの外側表面７１２に圧縮力ｃ１が、第１の細長いストリップの内側表面７１１に張力ｔ１が働く。第１の細長いストリップの第１の移行領域７１６及び第１の細長いストリップの第２の移行領域７１７のそれぞれが平らに潰されると、第１の細長いストリップ７１０の第１の細長いストリップの外側表面７１２に張力ｔ２が、第１の細長いストリップの内側表面７１１に圧縮力ｃ２が働く。第１の細長いストリップの中立平坦化面７１８を、第１の細長いストリップ７１０に張力も圧縮力も作用していない、第１の細長いストリップの外側表面７１２と第１の細長いストリップの内側表面７１１との間に画定することができる。第２の細長いストリップ７２０（図１２Ａを参照）にも第１の細長いストリップ７１０と同様の張力及び圧縮力が働く。様々な構成において、第１の細長いストリップ７１０及び第２の細長いストリップ７２０の材料及び構造は、細長いストリップ７１０、７２０のそれぞれの第１及び第２の細長いストリップの中立平坦化面７１８及び７２８（図１２Ａ参照）が内側表面７１１、７２１よりも外側表面７１２、７２２の近くに位置するように選択及び組み合わされる。
【００４７】
第１の細長いストリップ７１０及び第２の細長いストリップ７２０の材料の選択に関し、各ストリップは布地で構成することができる。多くの構成において、布地及び布地の組み合わせは、各細長いストリップの中立折り曲げ面を細長い部材７００の内表面に向かって付勢し、各細長いストリップの中立平坦化面を細長い部材７００の外表面に向かって付勢する。更に、第１の細長いストリップ７１０及び第２の細長いストリップ７２０は、各細長いストリップ７１０、７２０の中立折り曲げ面を細長いストリップ７１０、７２０の外側表面よりも内側表面の近くに付勢し、更に、各細長いストリップ７１０、７２０の中立平坦化面を細長いストリップ７１０、７２０の内側表面よりも外側表面の近くに付勢する織り繊維又は実質的に一方向の繊維の層を有することができる。
【００４８】
図１３Ａは、非連結領域７５０（図１１Ａを参照）による図１に示される構成と一致した、巻き取られた細長い部材７００の長手方向断面図を示したものであり、リール１１２０（図１１Ａ）の周囲に配設することができる細長い部材７００の部分と一致しうる。巻き取られた位置では、例えば第１の細長いストリップ７１０は内側ストリップとなり、巻き取られた結果として圧縮力ｃ３が作用する。更に第２の細長いストリップ７２０は、例えば外側ストリップとなり、巻き取られた結果として張力ｔ３が作用する。
【００４９】
結合されていない第１の細長いストリップ７１０及び第２の細長いストリップ７２０の部分のそれぞれは、本明細書において細長い部材７００の長手方向の長さを９０°軸の周囲に巻き取ることにともなう中立面として定義することができる中立折り曲げ面７１９、７２９をそれぞれ画定する。各細長いストリップ７１０、７２０の非連結領域７５０の中立折り曲げ面７１９、７２９は、巻き取られるときに各細長いストリップ７１０、７２０内部に軸方向の張力も軸方向の圧縮力も存在しない平面を表す。中立折り曲げ面７１９、７２９のそれぞれは、そのそれぞれの細長いストリップ７１０、７２０（図１２Ａ参照）の長さに沿って延びている。
【００５０】
細長い部材７００は、各細長いストリップの非連結領域７５０の中立折り曲げ面をそれぞれの細長いストリップ７１０、７２０の外側表面７１２、７２２よりも内側表面７１１、７２１により近くてよい位置に画定する材料で一般的に構成することができる。同様に、第１の細長いストリップ７１０は、第１の細長いストリップの内側表面７１１から第１の細長いストリップの外側表面７１２まで延びる厚さＴ３を有し、第１の細長いストリップは、第１の細長いストリップの外側表面７１２よりも第１の細長いストリップの内側表面７１１により近くてよい厚さＴ３を通じた第１の中立折り曲げ面７１９を画定している。同様に、第２の細長いストリップ７２０は、第２の細長いストリップの内側表面７２１から第２の細長いストリップの外側表面７２２まで延びる厚さＴ４を有し、第２の細長いストリップは、第２の細長いストリップの外側表面７２２よりも第１の細長いストリップの内側表面７１１により近くてよい第２の中立折り曲げ面７２９を画定している。
【００５１】
様々な構成において、細長い部材７００は、細長いストリップ７１０、７２０のそれぞれの非連結領域７５０の中立折り曲げ面の位置が互いに比較的近くなることによって、長期にわたって折り畳まれ、引き延ばされうる細長い部材７００に摩耗を生じる力の差が最小化されるように構成されることが望ましい場合もある。同様に、細長い部材７００は、中立折り曲げ面の位置が巻き取りの方向（時計回り又は反時計回り）によらず同じに保たれるように構成されることが望ましい場合もある。第１及び第２の細長いストリップの材料の選択は、中立折り曲げ面の位置、並びに材料の配置及び材料の組み合わせに影響しうる。一般的に、細長いストリップ７１０、７２０の構造は、細長いストリップ７１０、７２０の非連結領域７５０の中立折り曲げ面を細長い部材７００の内部に向かって付勢するようになっている。
【００５２】
図１３Ｂは、折り畳まれた位置にある図１に示される構成と一致する、巻き取られた細長い部材の一部分の斜視図を示す。図１３Ｂには、更に、参照用に図１２Ａ及び１２Ｂに示される圧縮力及び張力も示されている。この構成において、また、本明細書に開示される技術と一致する多くの構成において、第１の細長いストリップ７１０、第２の細長いストリップ７２０、及び細長い部材７００全体は、各細長いストリップ７１０、７２０の第１及び第２の中立平坦化面７１８及び７２８が各細長いストリップ７１０、７２０の中立折り曲げ面７１９、７２９から隔離されうるように構成されている。「隔離された」なる用語は、中立平坦化面を中立折り曲げ面と交差しないように構成することができることを意味して用いられうる。かかる構成は、平らに潰すことと巻き取りとによって生じる２方向の張力と圧縮力の合成を制限することができる。
【００５３】
図１４は、図１３Ａ及び１３Ｂに一致する細長い部材を格納する方法を示す論理フロー図を示す。本方法は、第１の端７７０において格納リール１１２０に取り付けられた細長い部材７００であって、密封された内部チャンバ７０４と内部チャンバ７０４に流出入する空気を調節する通気機構７８５、７９０とを含む、細長い部材７００を提供すること（１４００）を含む、細長い部材７００を格納することを含む。格納リール１１２０は、細長い部材７００が格納リール１１２０上に巻き取られるような方向に格納され（１４０２）、これにより細長い部材が格納リール１１２０に巻き取られるにしたがって細長い部材７００の内部チャンバ７０４が折り畳まれる（１４０４）。細長い部材７００の通気機構７８５、７９０を通じて細長い部材７００の内部チャンバ７０４から空気が排出され（１４０６）、細長い部材７００の通気機構７８５、７９０に基づいて、格納リールに細長い部材７００が巻き取られるときに格納リール１１２０の格納速度が調節される（１４０８）。
【００５４】
上記に述べた主題はあくまで例示を目的としたものにすぎず、限定的なものとして解釈されてはならない。図示及び説明した例示的実施形態及び用途に従うことなく、また、以下の「特許請求の範囲」に記載される本開示の真の趣旨及び範囲から逸脱することなく、様々な改変及び変更を主題に対して行うことが可能である。
【図１】
2017513029.tif 000003
【図２】
2017513029.tif 000004
【図３】
2017513029.tif 000005
【図４】
2017513029.tif 000006
【図５】
2017513029.tif 000007
【図６】
2017513029.tif 000008
【図７】
2017513029.tif 000009
【図８】
2017513029.tif 000010
【図９】
2017513029.tif 000011
【図１０】
2017513029.tif 000012
【図１１Ａ】
2017513029.tif 000013
【図１１Ｂ】
2017513029.tif 000014
【図１２Ａ】
2017513029.tif 000015
【図１２Ｂ】
2017513029.tif 000016
【図１３Ａ】
2017513029.tif 000017
【図１３Ｂ】
2017513029.tif 000018
【図１４】
2017513029.tif 000019
【国際調査報告】
2017513029.tif 000020